(57)【要約】【課題】  異形スペースにあわせてなるべく大きな浴室空間を形成することができるユニットバスであって、特に壁パネルを支柱部材に対して従来と同程度の作業負荷で嵌合させることができ、且つ不意に壁パネルの嵌合が外れることのない嵌合力の高いユニットバスを提供することを目的とする。【解決手段】  長辺方向長さの異なる分割形成された浴槽および洗い場床パンを備え、上面視で互いの長辺が隣り合うように並設された出隅部を有するユニットバスであって、前記浴槽および前記洗い場床パンからなる区画の周縁上には、隣接して配置された複数枚の壁パネルと、間隔を空けて配置され、壁パネルの両側端が嵌合する複数の支柱部材と、が立設されており、前記複数枚の壁パネルのうち、前記出隅部に配置された壁パネルは、前記出隅部に沿って曲折状に形成されており、前記出隅部に配置された壁パネルと、当該壁パネルの両側端に隣接される壁パネルとは、平面位置または入隅位置で前記支柱部材に対して嵌合されていることを特徴とする。【選択図】  図２
2011185020.tif 000002
【特許請求の範囲】
【請求項１】
長辺方向長さの異なる分割形成された浴槽および洗い場床パンを備え、上面視で互いの長辺が隣り合うように並設された出隅部を有するユニットバスであって、
前記浴槽および前記洗い場床パンからなる区画の周縁上には、隣接して配置された複数枚の壁パネルと、間隔を空けて配置され、壁パネルの両側端が嵌合する複数の支柱部材と、が立設されており、
前記複数枚の壁パネルのうち、前記出隅部に配置された壁パネルは、前記出隅部に沿って曲折状に形成されており、
前記出隅部に配置された壁パネルと、当該壁パネルの両側端に隣接される壁パネルとは、平面位置または入隅位置で前記支柱部材に対して嵌合されていることを特徴とするユニットバス。
【請求項２】
長辺方向長さの異なる分割形成された浴槽パンおよび洗い場床パンを備え、上面視で互いの長辺が隣り合うように並設された出隅部を有するユニットバスであって、
前記浴槽パンおよび前記洗い場床パンからなる区画の周縁上には、隣接して配置された複数枚の壁パネルと、間隔を空けて配置され、壁パネルの両側端が嵌合する複数の支柱部材と、が立設されており、
前記複数枚の壁パネルのうち、前記出隅部に配置された壁パネルは、前記出隅部に沿って曲折状に形成されており、
前記出隅部に配置された壁パネルと、当該壁パネルの両側端に隣接される壁パネルとは、平面位置または入隅位置で前記支柱部材に対して嵌合されていることを特徴とするユニットバス。
【発明の詳細な説明】
【技術分野】
【０００１】
本発明は、浴槽側と洗い場側の長辺長さが異なるユニットバスに関する。
【背景技術】
【０００２】
ユニットバスの施工空間内に建築柱や配管などの障害物が内方側に突出した現場がある。従来、そのような現場では、障害物を避けた上で平面サイズが最大になる平面視方形状のユニットバスを設置することが一般的であった。
【０００３】
しかしながら、上記の場合、施工空間内のデッドスペースが大きく、結果としてユニットバスの内寸が狭くなるという問題があった。
【０００４】
上記課題を鑑み、特許文献１では、洗い場側防水パンと浴槽側防水パンとの継目方向の寸法を互いに異なるようにし、異形スペースにあわせてなるべく大きな浴室空間を形成することを可能にしたユニットバスルームが開示されている。
【先行技術文献】
【特許文献】
【０００５】
【特許文献１】実開平７−３２１１５号公報
【発明の概要】
【発明が解決しようとする課題】
【０００６】
しかしながら、平面視が異形のユニットバスにおいては、出隅部３００（浴室内側からみて約２７０°の屈曲部）が発生することになる。一般的に、壁パネルを支柱部材に対して嵌合する方法は、図５、図７に示すように、壁パネルの両側端部を浴室外方側に屈曲形成させ、支柱部材に形成された凹部に対して、隣接する壁パネルの側端部を弾性変形させて嵌め込み固定している。
【０００７】
図８に示すように、平面状の壁パネル２００を支柱部材３００に嵌合させた場合、出隅部４００の角に支柱部材３００を立設させ、当該支柱部３００に対して、隣接する壁パネル２００の側壁部を嵌合させることになるが、嵌合作業が極めて困難になる。嵌合を緩くすることも考えられるが、結果として壁パネル２００が不意に外れる要因ともなり好ましくない。
【０００８】
本発明は、上述した課題に鑑みてなされたものであり、ユニットバスの施工空間内に建築柱や配管などの障害物が内方側に突出した現場であっても、異形スペースにあわせてなるべく大きな浴室空間を形成することができるユニットバスであって、特に壁パネルを支柱部材に対して従来と同程度の作業負荷で嵌合させることができ、且つ不意に壁パネルの嵌合が外れることのない嵌合力の高いユニットバスを提供することを目的とする。
【課題を解決するための手段】
【０００９】
上記課題を解決するために本発明に係るユニットバスは、長辺方向長さの異なる分割形成された浴槽および洗い場床パンを備え、上面視で互いの長辺が隣り合うように並設された出隅部を有するユニットバスであって、前記浴槽および前記洗い場床パンからなる区画の周縁上には、隣接して配置された複数枚の壁パネルと、間隔を空けて配置され、壁パネルの両側端が嵌合する複数の支柱部材と、が立設されており、前記複数枚の壁パネルのうち、前記出隅部に配置された壁パネルは、前記出隅部に沿って曲折状に形成されており、前記出隅部に配置された壁パネルと、当該壁パネルの両側端に隣接される壁パネルとは、平面位置または入隅位置で前記支柱部材に対して嵌合されていることを特徴とする。
【００１０】
本発明によれば、長辺方向長さの異なる分割形成された浴槽および洗い場床パンを備えているため、ユニットバスの施工空間内に建築柱や配管などの障害物が内方側に突出した現場であっても、異形スペースにあわせてなるべく大きな浴室空間を形成することができる。更に、出隅部に配置された壁パネルは、出隅部の形状に沿って曲折状に形成されており、且つ出隅部に配置された壁パネルと、当該壁パネルの両側端に隣接される壁パネルとは、平面位置または入隅位置で前記支柱部材に対して嵌合されているため、従来と同様の嵌合方式で対応でき、容易に壁パネルを嵌合させることができるとともに、不意に壁パネルの嵌合が外れることのないユニットバスを提供できる。
【００１１】
また、本発明の別態様に係るユニットバスは、長辺方向長さの異なる分割形成された浴槽パンおよび洗い場床パンを備え、上面視で互いの長辺が隣り合うように並設された出隅部を有するユニットバスであって、前記浴槽パンおよび前記洗い場床パンからなる区画の周縁上には、隣接して配置された複数枚の壁パネルと、間隔を空けて配置され、壁パネルの両側端が嵌合する複数の支柱部材と、が立設されており、前記複数枚の壁パネルのうち、前記出隅部に配置された壁パネルは、前記出隅部に沿って曲折状に形成されており、前記出隅部に配置された壁パネルと、当該壁パネルの両側端に隣接される壁パネルとは、平面位置または入隅位置で前記支柱部材に対して嵌合されていることを特徴とする。
【００１２】
本発明によれば、長辺方向長さの異なる分割形成された浴槽パンおよび洗い場床パンを備えているため、ユニットバスの施工空間内に建築柱や配管などの障害物が内方側に突出した現場であっても、異形スペースにあわせてなるべく大きな浴室空間を形成することができる。更に、出隅部に配置された壁パネルは、出隅部の形状に沿って曲折状に形成されており、且つ出隅部に配置された壁パネルと、当該壁パネルの両側端に隣接される壁パネルとは、平面位置または入隅位置で前記支柱部材に対して嵌合されているため、従来と同様の嵌合方式で対応でき、容易に壁パネルを嵌合させることができるとともに、不意に壁パネルの嵌合が外れることのないユニットバスを提供できる。
【発明の効果】
【００１３】
本発明によれば、ユニットバスの施工空間内に建築柱や配管などの障害物が内方側に突出した現場であっても、異形スペースにあわせてなるべく大きな浴室空間を形成することができるユニットバスであって、特に壁パネルを支柱部材に対して従来と同程度の作業負荷で嵌合させることができ、且つ不意に壁パネルの嵌合が外れることのない嵌合力の高いユニットバスを提供することができる。
【図面の簡単な説明】
【００１４】
【図１】施工空間内にユニットバスが設置された状態を示す平面図である。
【図２】第１の実施形態に係るユニットバスの分解斜視図である。
【図３】第１の実施形態に係るユニットバスの平面図である。
【図４】図３のＡ部に係る詳細断面図である。
【図５】第２の実施形態に係るユニットバスの平面図である。
【図６】図５のＢ部に係る詳細断面図である。
【図７】第３の実施形態に係るユニットバスの分解斜視図である。
【図８】従来例としてユニットバスの分解斜視図である。
【発明を実施するための形態】
【００１５】
以下、添付図面を参照しながら本発明の実施形態について説明する。説明の理解を容易にするため、各図面において同一の構成要素に対しては可能な限り同一の符号を付して、重複する説明は省略する。
【００１６】
図１に示すように、本発明に係るユニットバスは、建築スペース９０のコーナー部に建築柱９１が内方側に突出した状態で立設した平面視で非方形状の施工空間に設置されている。
【００１７】
図２に示すように、本発明の第１の実施形態に係るユニットバスは、浴槽１０と、洗い場床パン１５と、浴槽エプロン１１と、複数枚の壁パネル２０，２１，２２と、複数本の支柱部材３０とを備えている。
【００１８】
浴槽１０は、図１に示すように、長辺方向の延長上に建築柱９１が配置されるように設置されている。また、洗い場床パン１５は、該長辺が、浴槽１０の長辺と隣り合うように並設されている。また、浴槽１０の長辺方向長さは、洗い場床パン１５の長辺方向長さより小さく形成されている。このようにして設置された浴槽１０と洗い場床パン１５は、ユニットバスを平面視でみた時に、出隅部９２が形成される。
【００１９】
壁パネルは、浴槽１０および洗い場床パン１５からなる床部の周縁上に設置される。壁パネルは、平面状壁パネル２０と、曲折状壁パネル２１と、点検口壁パネル２２とから構成されている。また、平面状壁パネル２０および曲折状壁パネル２１は、板状の鋼板パネルと、鋼板パネルの裏面側に裏打ちされた石膏ボードとから構成されており、鋼板パネルの両側端部は、図４および図６に示すように裏側に折り返された凸状の壁パネル側嵌合部が形成されている。尚、図４に示すように、壁パネル２０，２１をコーナー支柱３０に嵌合した後、隣り合う壁パネルの隙間を塞ぐように、目地部材３３が水密的に取り付けられる。
【００２０】
支柱部材は、図２に示すように浴槽１０および洗い場床パン１５の周縁上に間隔を空けて複数立設されており、前述した壁パネル２０，２１，２２の壁パネル側嵌合部が嵌まる凹状の支柱側嵌合部を備えている。また、支柱部材は、隣り合う壁パネルが平面位置で接合される位置に設けられた平ジョイナー３５と、隣り合う壁パネルが入隅位置で接合される位置に設けられたコーナージョイナー３０とを備えている。これら支柱部材に対して、浴室内側から壁パネルを嵌めることにより、壁パネルが立設されるようになっている。
【００２１】
浴槽エプロン１１は、浴槽１０の側面を覆い隠すものであり、浴槽１０のリム裏、および洗い場床パン１５の浴槽側周縁に対してパッキンを介して水密的に取り付けられている。
【００２２】
上述した曲折状壁パネル２１は、浴槽１０および洗い場床パン１５によって形成される出隅部の形状と同じになるように中央付近で折り曲げられており、水平断面形状が略Ｌ字状に形成されている。
【００２３】
上述した点検口壁パネル２２は、洗い場床パン１５、浴槽エプロン１１、コーナージョイナー３０、および曲折状壁パネル２１によって囲まれた開口に対して着脱可能に取り付けられている。当該開口は、浴槽１０の短辺裏側を真正面に面する位置に形成されており、楽な姿勢で浴槽１０の短辺側側壁の裏側に設けられた配管類や機器類の取り付け、およびメンテナンスが可能となる。
【００２４】
図３に示すように、曲折状壁パネル２１がユニットバスの出隅部に配置されており、曲折状壁パネル２１の両側端部に形成された壁パネル側嵌合部は、ユニットバスにおける入隅部に立設されたコーナージョイナー３０に対して図４の方式で嵌合されている。
【００２５】
次に、図５を用いて本発明の第２の実施形態に係るユニットバスについて説明する。本実施形態のユニットバスは、出隅部付近の支柱部材と壁パネルの構造が、上述した第１の実施形態とは異なる。
【００２６】
図５に示すように、本実施形態においても、曲折状壁パネル２３がユニットバスの出隅部に配置されており、当該曲折状壁パネル２３の両側端部に形成された壁パネル側嵌合部が、ユニットバスにおける平面部に立設された平ジョイナー３５に対して、図６の方式で嵌合されている。
【００２７】
次に、図７を用いて本発明の第３の実施形態に係るユニットバスについて説明する。本実施形態のユニットバスは、浴槽の下側に浴槽パンが設置されており、壁パネルが浴槽パン１６および洗い場床パン１５からなる床部の周縁上に設置されている点で、上述した第１、第２の実施形態とは異なる。
【００２８】
本実施形態における浴槽１０および浴槽パン１６は、長辺方向の延長上に建築柱９１が配置されるように設置されている。また、洗い場床パン１５は、該長辺が、浴槽１０および浴槽パン１６の長辺と隣り合うように並設されている。また、浴槽１０および浴槽パン１６の長辺方向長さは、洗い場床パン１５の長辺方向長さより小さく形成されている。このようにして設置された浴槽１０浴槽１０および浴槽パン１６と洗い場床パン１５は、ユニットバスを平面視でみた時に、出隅部が形成される。
【００２９】
図７に示すように、本実施形態においても、曲折状壁パネル２５がユニットバスの出隅部に配置されており、当該曲折状壁パネル２５の両側端部に形成された壁パネル側嵌合部が、ユニットバスにおける入隅部に立設されたコーナージョイナー３７に対して、図４の方式で嵌合されている。尚、第２の実施形態と同様に、壁パネル側嵌合部が、ユニットバスにおける平面部に立設された平ジョイナー３５に対して、図６の方式で嵌合されるようにしてもよい。
【００３０】
上述した本発明のユニットバスにおいては、以下の効果を奏する。
【００３１】
本発明によれば、長辺方向長さの異なる分割形成された浴槽１０（または浴槽パン１６）および洗い場床パン１５を備えているため、ユニットバスの施工空間内に建築柱や配管などの障害物が内方側に突出した現場であっても、異形スペースにあわせてなるべく大きな浴室空間を形成することができる。更に、出隅部に曲折状壁パネル２１，２３，２５を配置し、且つ当該曲折状壁パネルと、当該壁パネルの両側端に隣接される壁パネルとが、平面位置または入隅位置に設けられた支柱部材に対して嵌合されているため、従来と同様の嵌合方式で対応でき、容易に壁パネルを嵌合させることができる。
【符号の説明】
【００３２】
１０…浴槽、１１…浴槽エプロン、１５…洗い場床パン、１６…浴槽パン、２０，２４，２６…平面状壁パネル、２１，２３，２５…曲折状壁パネル、２２…点検口壁パネル、３０，３７…コーナージョイナー、３３…目地部材、３５…平ジョイナー、９０…建築スペース、９１…建築柱、９２…出隅部
【図１】
2011185020.tif 000003
【図２】
2011185020.tif 000004
【図３】
2011185020.tif 000005
【図４】
2011185020.tif 000006
【図５】
2011185020.tif 000007
【図６】
2011185020.tif 000008
【図７】
2011185020.tif 000009
【図８】
2011185020.tif 000010